(57)【要約】【課題】ヒートポンプサイクルの成績係数の低下を招くことなく、室外から暖房対象空間へ取り入れられる給気を充分に加熱可能な暖房システムを提供する。【解決手段】暖房対象空間である室内から室外へ排出される排気と室外から室内へ取り入れられる給気とを熱交換させる換気熱交換器３４、換気熱交換器３４から流出した給気を加熱する高温側ヒータコア３５および換気熱交換器３４へ流入する給気を加熱する低温側ヒータコア３６を備え、高温側ヒータコア３５では、ヒートポンプサイクル１０の圧縮機１１吐出冷媒によって加熱された熱媒体を熱源として換気熱交換器３４から流出した給気を加熱し、低温側ヒータコア３６では、ヒートポンプサイクル１０の電気式膨張弁１３へ流入する冷媒と熱交換する熱媒体の温度を低下させて、換気熱交換器３４へ流入する給気を加熱する。【選択図】図１
2014142100.tif 000002
【特許請求の範囲】
【請求項１】
冷媒を圧縮して吐出する圧縮機（１１）、および前記圧縮機（１１）にて昇圧された冷媒を減圧させる減圧手段（１３）を有するヒートポンプサイクル（１０）と、
暖房対象空間から室外へ排出される排気と室外から暖房対象空間へ取り入れられる給気とを熱交換させる換気熱交換器（３４）と、
前記圧縮機（１１）から吐出された冷媒および前記圧縮機（１１）から吐出された冷媒によって加熱された熱媒体のうちいずれか一方を熱源として、前記換気熱交換器（３４）から流出した前記給気を加熱する高温側ヒータコア（３５）と、
前記減圧手段（１３）へ流入する冷媒および前記減圧手段（１３）へ流入する冷媒と熱交換する熱媒体のうちいずれか一方の温度を低下させて、前記換気熱交換器（３４）へ流入する前記給気を加熱する低温側ヒータコア（３６）とを備えることを特徴とする暖房システム。
【請求項２】
前記ヒートポンプサイクル（１０）は、前記圧縮機（１１）から吐出された冷媒と熱媒体とを熱交換させて、熱媒体を加熱する熱媒体−冷媒熱交換器（１２）を有し、
前記減圧手段（１３）は、前記熱媒体−冷媒熱交換器（１２）から流出した冷媒を減圧させ、
前記高温側ヒータコア（３５）は、前記熱媒体−冷媒熱交換器（１２）にて加熱された熱媒体を熱源として、前記換気熱交換器（３４）から流出した前記給気と加熱することを特徴とする請求項１に記載の暖房システム。
【請求項３】
前記ヒートポンプサイクル（１０）は、前記圧縮機（１１）から吐出された冷媒と熱媒体とを熱交換させて前記熱媒体を加熱する熱媒体−冷媒熱交換器（１２）を有し、
前記減圧手段（１３）は、前記熱媒体−冷媒熱交換器（１２）から流出した冷媒を減圧させ、
前記低温側ヒータコア（３６）は、前記減圧手段（１３）へ流入する冷媒と熱交換する熱媒体の温度を低下させて、前記換気熱交換器（３４）へ流入する前記給気を加熱することを特徴とする請求項１または２に記載の暖房システム。
【請求項４】
さらに、太陽熱を熱源として熱媒体を加熱する太陽熱パネル（４０）を備え、
前記高温側ヒータコア（３５）は、前記熱媒体−冷媒熱交換器（１２）にて加熱された熱媒体および前記太陽熱パネル（４０）にて加熱された熱媒体と前記換気熱交換器（３４）から流出した前記給気とを熱交換させることを特徴とする請求項２に記載の暖房システム。
【請求項５】
前記ヒートポンプサイクル（１０）は、前記減圧手段（１３）にて減圧された冷媒を蒸発させる蒸発器（１４）を有し、
前記蒸発器（１４）は、前記減圧手段（１３）にて減圧された冷媒と前記換気熱交換器（３４）から流出した前記排気と熱交換させることを特徴とする請求項１ないし４のいずれか１つに記載の暖房システム。
【発明の詳細な説明】
【技術分野】
【０００１】
本発明は、ヒートポンプサイクルを備える暖房システムに関する。
【背景技術】
【０００２】
従来、特許文献１に、ヒートポンプサイクルにて加熱された熱媒体（温水）を、住宅用家屋のリビング、キッチン、寝室等の各室内（暖房対象空間）に配置されたパネルヒータや床暖房機器といった暖房用機器へ供給することによって、各室内の暖房を行う暖房システムが開示されている。
【０００３】
さらに、この特許文献１の暖房システムは、室内の換気を行う際に室内から室外へ排出される排気（内気）と室外から室内へ取り入れられる給気（外気）とを熱交換させて給気を加熱する換気熱交換器、および各室内に配置された暖房用機器から流出した温水を熱源として給気を加熱する加熱用熱交換器を備えている。そして、これらの２つの熱交換器にて給気を加熱することで、換気による室内の温度低下を抑制しようとしている。
【０００４】
加えて、特許文献１の暖房システムでは、加熱用熱交換器から流出した比較的低温となっている温水とヒートポンプサイクルの高圧側冷媒とを熱交換させることによって、高圧側冷媒のエンタルピを低下させ、ヒートポンプサイクルの成績係数（ＣＯＰ）を向上させようとしている。
【先行技術文献】
【特許文献】
【０００５】
【特許文献１】特許第４４１９４７５号公報
【発明の概要】
【発明が解決しようとする課題】
【０００６】
ところが、特許文献１の暖房システムは、ヒートポンプサイクルにて加熱された温水を熱源として各室内の暖房を行う構成になっているので、ヒートポンプサイクルのＣＯＰの低下を招くことなく、換気熱交換器および加熱用熱交換器にて給気を充分に加熱して各室内の暖房を行うことが難しい。このため、特許文献１の暖房システムでは、例えば、低外気温時等に、換気による室内の温度低下を充分に抑制できないことがある。
【０００７】
より詳細には、換気熱交換器では、排気を熱源としているので、低外気温時等には、給気を充分に昇温させることができない。一方、加熱用熱交換器では、加熱用熱交換器へ流入する温水の温度を上昇させることで、給気を充分に高温化させることができるものの、加熱用熱交換器へ流入する温水の温度を上昇させると加熱用熱交換器から流出する温水の温度も上昇してしまうので、ヒートポンプサイクルのＣＯＰを低下させてしまう。
【０００８】
上記点に鑑み、本発明は、ヒートポンプサイクルを備える暖房システムにおいて、ヒートポンプサイクルの成績係数（ＣＯＰ）の低下を招くことなく、室外から暖房対象空間へ取り入れられる給気を充分に加熱することを目的とする。
【課題を解決するための手段】
【０００９】
本発明は、上記目的を達成するために案出されたもので、請求項１に記載の発明では、冷媒を圧縮して吐出する圧縮機（１１）、および圧縮機（１１）にて昇圧された冷媒を減圧させる減圧手段（１３）を有するヒートポンプサイクル（１０）と、暖房対象空間から室外へ排出される排気と室外から暖房対象空間へ取り入れられる給気とを熱交換させる換気熱交換器（３４）と、圧縮機（１１）から吐出された冷媒および圧縮機（１１）から吐出された冷媒によって加熱された熱媒体のうちいずれか一方を熱源として、換気熱交換器（３４）から流出した給気を加熱する高温側ヒータコア（３５）と、減圧手段（１３）へ流入する冷媒および減圧手段（１３）へ流入する冷媒と熱交換する熱媒体のうちいずれか一方の温度を低下させて、換気熱交換器（３４）へ流入する給気を加熱する低温側ヒータコア（３６）とを備える暖房システムを特徴とする。
【００１０】
これによれば、高温側ヒータコア（３５）を備えているので、換気熱交換器（３４）にて加熱された給気をさらに加熱して、暖房対象空間へ取り入れられる給気を昇温させることができる。この際、高温側ヒータコア（３５）では、圧縮機（１１）から吐出された冷媒および圧縮機（１１）から吐出された冷媒によって加熱された熱媒体のうちいずれか一方を熱源としているので、給気を暖房対象空間の暖房に必要な程度の温度まで充分に昇温させることができる。
【００１１】
また、低温側ヒータコア（３６）を備えているので、換気熱交換器（３４）へ流入する給気を加熱して、暖房対象空間へ取り入れられる給気を昇温させることができる。この際、低温側ヒータコア（３６）では、減圧手段（１３）へ流入する冷媒および減圧手段（１３）へ流入する冷媒と熱交換する熱媒体のうちいずれか一方の温度を低下させるので、減圧手段（１３）へ流入する冷媒のエンタルピを低下させて、ヒートポンプサイクルの成績係数（ＣＯＰ）を向上させることができる。
【００１２】
従って、本請求項に記載の発明によれば、高温側ヒータコア（３５）および低温側ヒータコア（３６）の双方を備えていることによって、ヒートポンプサイクル（１０）のＣＯＰの低下を招くことなく、室外から暖房対象空間へ取り入れられる給気を充分に加熱することができる。
【００１３】
なお、本請求項における「圧縮機（１１）から吐出された冷媒によって加熱された熱媒体」は、熱交換器等にて圧縮機（１１）から吐出された冷媒によって直接的に加熱された熱媒体に限定されるものではなく、圧縮機（１１）から吐出された冷媒によって、他の熱媒体等を介して間接的に加熱された熱媒体を含む意味である。
【００１４】
また、本請求項における「減圧手段（１３）へ流入する冷媒と熱交換する熱媒体」は、熱交換器等にて減圧手段（１３）へ流入する冷媒と直接的に熱交換する熱媒体に限定されるものではなく、他の熱媒体等を介して間接的に熱交換する熱媒体を含む意味である。
【００１５】
さらに、請求項１に記載の発明において、ヒートポンプサイクル（１０）は、圧縮機（１１）から吐出された冷媒と熱媒体とを熱交換させて、熱媒体を加熱する熱媒体−冷媒熱交換器（１２）を有し、減圧手段（１３）は、熱媒体−冷媒熱交換器（１２）から流出した冷媒を減圧させるものであり、高温側ヒータコア（３５）は、熱媒体−冷媒熱交換器（１２）にて加熱された熱媒体を熱源として、換気熱交換器（３４）から流出した前記給気と加熱するものであってもよいし、低温側ヒータコア（３６）は、減圧手段（１３）へ流入する冷媒と熱交換する熱媒体の温度を低下させて、換気熱交換器（３４）へ流入する給気を加熱するものであってもよい。
【００１６】
このように熱媒体を介して給気を加熱するシステムであれば、この熱媒体を、高温側ヒータコア（３５）および低温側ヒータコア（３６）とは異なる温度帯の熱源を必要とする暖房用機器の熱源として用いることもできる。
【００１７】
なお、この欄および特許請求の範囲で記載した各手段の括弧内の符号は、後述する実施形態に記載の具体的手段との対応関係を示すものである。
【図面の簡単な説明】
【００１８】
【図１】第１実施形態の暖房システムの模式的な全体構成図である。
【図２】第２実施形態の暖房システムの模式的な全体構成図である。
【図３】第３実施形態の暖房システムの模式的な全体構成図である。
【図４】第４実施形態の暖房システムの模式的な全体構成図である。
【図５】第５実施形態の暖房システムの模式的な全体構成図である。
【図６】第６実施形態の暖房システムの模式的な全体構成図である。
【発明を実施するための形態】
【００１９】
（第１実施形態）
以下、図１を用いて、本発明の第１実施形態を説明する。本実施形態の暖房システム１は、住宅用家屋に適用されており、リビング、キッチン、寝室等の各室内（暖房対象空間）の暖房を行うものである。さらに、この住宅用家屋は、いわゆる高気密住宅と呼ばれる気密性の高い家屋であって、定常的な換気が必要とされる。
【００２０】
暖房システム１は、図１の模式的な全体構成図に示すように、給湯水を加熱するヒートポンプサイクル１０、このヒートポンプサイクル１０にて加熱された給湯水を貯留する貯湯タンク２０、室内の換気時に室外から室内へ取り入れられる給気（外気）を加熱する給気加熱ユニット３０等を備えている。
【００２１】
まず、ヒートポンプサイクル１０は、圧縮機１１、水−冷媒熱交換器１２、電気式膨張弁１３、蒸発器１４等を順次冷媒配管で接続することによって構成された蒸気圧縮式の冷凍サイクルである。
【００２２】
さらに、このヒートポンプサイクル１０は、冷媒として二酸化炭素を採用しており、圧縮機１１の吐出口側から電気式膨張弁１３の入口側へ至るサイクルの高圧側の冷媒圧力が冷媒の臨界圧力以上となる超臨界冷凍サイクルを構成している。また、この冷媒には圧縮機１１を潤滑するための冷凍機油が混入されており、冷凍機油の一部は冷媒とともにサイクルを循環している。
【００２３】
圧縮機１１は、ヒートポンプサイクル１０において冷媒を吸入し、臨界圧力以上となるまで圧縮して吐出するものである。本実施形態では、圧縮機１１として、吐出容量が固定された固定容量型圧縮機構を電動モータにて駆動する電動圧縮機を採用している。圧縮機１１の電動モータは、後述する制御装置から出力される制御信号によって、その作動（回転数）が制御される。
【００２４】
水−冷媒熱交換器１２は、圧縮機１１から吐出された冷媒と給湯水とを熱交換させて給湯水を加熱するものである。給湯水は、ヒートポンプサイクル１０の加熱対象流体であり、後述する貯湯タンク２０内に貯留された後、調理場や風呂等に給湯される。さらに、本実施形態の給湯水は、ヒートポンプサイクル１０にて発生した熱を貯湯タンク２０内に貯留された給湯水へ移動させる熱媒体としての機能も果たす。
【００２５】
従って、本実施形態の水−冷媒熱交換器１２は、特許請求の範囲に記載された熱媒体−冷媒熱交換器を構成している。このような水−冷媒熱交換器１２としては、冷媒通路１２ａとして冷媒を流通させる複数本のチューブを設け、隣り合うチューブ間に水通路１２ｂを形成し、水通路１２ｂ内に冷媒と冷却水との間の熱交換を促進するインナーフィンを配置して構成された熱交換器等を採用することができる。
【００２６】
さらに、本実施形態では、水−冷媒熱交換器１２として、冷媒通路１２ａを流れる冷媒の流れ方向と水通路１２ｂを流れる給湯水の流れ方向が対向流となる対向流型の熱交換器を採用している。
【００２７】
対向流型の熱交換器では、冷媒通路１２ａ入口側の冷媒と水通路１２ｂ出口側の給湯水とを熱交換させ、冷媒通路１２ａ出口側の冷媒と水通路１２ｂ入口側の給湯水とを熱交換させることができるので、熱交換領域の全域に亘って給湯水と冷媒との温度差を確保して熱交換効率を向上させることができる。
【００２８】
また、本実施形態のヒートポンプサイクル１０は、前述したように、超臨界冷凍サイクルを構成しているので、水−冷媒熱交換器１２の冷媒通路１２ａでは、冷媒は凝縮することなく超臨界状態のまま放熱して、エンタルピを低下させる。
【００２９】
電気式膨張弁１３は、水−冷媒熱交換器１２の冷媒通路１２ａから流出した冷媒を減圧させる減圧手段である。具体的には、電気式膨張弁１３は、絞り開度を変更可能に構成された弁体と、この弁体の絞り開度を変化させる電動アクチュエータを有して構成される可変絞り機構である。さらに、この電動アクチュエータは、制御装置から出力される制御信号によって、その作動が制御される。
【００３０】
蒸発器１４は、電気式膨張弁１３にて減圧された冷媒を、外気あるいは後述する給気加熱ユニット３０の換気熱交換器３４から流出した排気と熱交換させて蒸発させるものである。このような蒸発器１４としては、フィンアンドチューブ型の熱交換器等を採用することができる。蒸発器１４の冷媒出口側には、圧縮機１１の吸入口側が接続されている。
【００３１】
なお、ヒートポンプサイクル１０の各構成機器１１〜１４（図１の一点鎖線で囲まれた範囲の構成機器）は、１つの筐体内に収容され、もしくは、１つのフレーム構造内に収容され、ヒートポンプユニットとして一体的に構成されている。
【００３２】
次に、貯湯タンク２０について説明する。貯湯タンク２０は、耐食性に優れた金属（例えば、ステンレス）で形成され、その外周を断熱材で覆う断熱構造あるいは二重タンクによる真空断熱構造等を有し、高温の給湯水を長時間保温することができる温水タンクである。また、この貯湯タンク２０も室外に配置されている。
【００３３】
貯湯タンク２０に貯留された給湯水は、貯湯タンク２０の上部に設けられた出湯口から出湯され、図示しない温調弁において水道からの冷水と混合されて温度調節された後、室内（具体的には調理場や風呂等）に給湯される。また、貯湯タンク２０の下部に設けられた給水口からは水道水給水されて、給湯された分の給湯水が補充される。
【００３４】
さらに、貯湯タンク２０は、第１水循環回路２１によってヒートポンプサイクル１０の水−冷媒熱交換器１２の水通路１２ｂと接続されている。第１水循環回路２１は、貯湯タンク２０と水−冷媒熱交換器１２との間で給湯水を循環させる水循環回路である。この第１水循環回路２１には、給湯水を循環させる水圧送手段としての第１水循環ポンプ２２が配置されている。
【００３５】
第１水循環ポンプ２２は、貯湯タンク２０の下方側に設けられた給湯水出口から流出した給湯水を吸入して、水−冷媒熱交換器１２の水通路１２ｂへ給湯水を圧送する電動式の水ポンプである。さらに、この第１水循環ポンプ２２は、制御装置から出力される制御信号によって、その作動（回転数）が制御される。
【００３６】
従って、第１水循環ポンプ２２を作動させると、給湯水は、貯湯タンク２０の下方側に設けられた給湯水出口→第１水循環ポンプ２２→水−冷媒熱交換器１２の水通路１２ｂ→貯湯タンク２０の上方側に設けられた給湯水入口の順に循環する。これにより、水−冷媒熱交換器１２にて加熱された給湯水は貯湯タンク２０の上方側に流出し、貯湯タンク２０内では上方側から下方側へ向かって給湯水の温度が低くなる温度分布が生じる。
【００３７】
さらに、本実施形態では、水−冷媒熱交換器１２として対向流型の熱交換器を採用しているので、貯湯タンク２０の下方側に設けられた給湯水出口から流出した給湯水は、水−冷媒熱交換器１２の冷媒通路１２ａのうち冷媒流れ下流側を流通する比較的エンタルピの低い冷媒と熱交換することになる。つまり、貯湯タンク２０の下方側の低温の給湯水は、水−冷媒熱交換器１２にて、冷媒通路１２ａ下流側の電気式膨張弁１３へ流入する冷媒と直接的に熱交換する熱媒体となる。
【００３８】
一方、水−冷媒熱交換器１２の水通路１２ｂから流出する給湯水は、水−冷媒熱交換器１２の冷媒通路１２ａのうち冷媒流れ上流側を流通する比較的エンタルピの高い冷媒と熱交換して加熱される。つまり、貯湯タンク２０の上方側の高温の給湯水は、水−冷媒熱交換器１２にて、ヒートポンプサイクル１０の圧縮機１１から吐出された高温高圧冷媒によって直接的に加熱された熱媒体となる。
【００３９】
次に、給気加熱ユニット３０は、室内の換気を行う際に、室内から室外へ排出される排気が流通する排気通風路３２および室外から室内へ取り入れられる給気が流通する給気通風路３３が形成されたケーシング３１を有し、このケーシング３１内に、排気送風ファン３２ａ、給気送風ファン３３ａ、換気熱交換器３４、給気を加熱する高温側ヒータコア３５および低温側ヒータコア３６を収容して構成されたものである。
【００４０】
排気送風ファン３２ａは、室内から室外へ排気を送風する電動送風機であって、排気通風路３２の排気流れ最上流側に配置されている。給気送風ファン３３ａは、室外から室内へ給気を送風する電動送風機であって、給気通風路３３の給気流れ最上流側に配置されている。また、排気送風ファン３２ａおよび給気送風ファン３３ａは、いずれも制御装置から出力される制御電圧によって稼働率、すなわち回転数（送風空気量）が制御される。
【００４１】
換気熱交換器３４は、室内の換気を行う際に、排気と給気とを熱交換させるものである。従って、換気熱交換器３４は、例えば、室内の暖房時には、高温の排気と低温の給気とを熱交換させて、給気を加熱することができる。つまり、換気熱交換器３４は、暖房時に排気とともに室外へ排出されてしまう熱エネルギを回収して給気を加熱することによって、換気による室内の温度低下を抑制する機能を果たす。
【００４２】
このような換気熱交換器３４としては、伝熱性に優れる複数の金属板（例えば、アルミニウム板や銅板）の板面同士を互いに平行に積層配置し、隣り合う金属板間に排気通路と吸気通路とを交互に形成し、それぞれの排気通路および給気通路の内部に排気と給気との熱交換を促進するインナーフィンを配置することによって構成された熱交換器等を採用することができる。なお、換気熱交換器３４は、例えば、室内の冷房時には、高温の給気と低温の排気とを熱交換させて、給気を冷却することもできる。
【００４３】
高温側ヒータコア３５は、内部に温水を流通させ、この温水を熱源として換気熱交換器３４から流出する給気（換気熱交換器３４下流側の給気）を加熱する高温側の加熱用熱交換器である。低温側ヒータコア３６は、内部に高温側ヒータコア３５から流出して温度低下した温水を流通させて、この温水を熱源として換気熱交換器３４へ流入する給気（換気熱交換器３４上流側の給気）を加熱する低温側の加熱用熱交換器である。
【００４４】
高温側ヒータコア３５および低温側ヒータコア３６は、温水を循環させる第２水循環回路３７に配置されており、貯湯タンク２０内に配置された温水通路３８に接続されている。第２水循環回路３７は、温水通路３８、高温側ヒータコア３５および低温側ヒータコア３６の間で温水を循環させる水循環回路である。さらに、第２水循環回路３７には、温水を循環させる水圧送手段としての第２水循環ポンプ３９が配置されている。
【００４５】
また、第２水循環回路３７を循環する温水は、貯湯タンク２０内に貯留された給湯水の有する熱を給気へ移動させる熱媒体であって、給湯水と同じ水道水あるいはエチレングリコール水溶液等を採用することができる。つまり、本実施形態の暖房システム１では、給湯水と温水との２種類の熱媒体を介して、ヒートポンプサイクル１０にて発生した熱を吸気へ移動させる。
【００４６】
温水通路３８は、貯湯タンク２０内を蛇行しながら上下方向に伸びるように配置されている。従って、温水を温水通路３８に流通させることで、貯湯タンク２０内に貯湯された給湯水を熱源として温水を加熱することができる。
【００４７】
さらに、本実施形態の温水通路３８の温水入口は貯湯タンク２０の下方側に設けられ、温水通路３８の温水出口は貯湯タンク２０の上方側に設けられている。前述の如く、貯湯タンク２０内の給湯水には下方側から上方側へ向かって温度が高くなる温度分布が生じているので、温水通路３８を流通する温水についても下方側（温水入口側）から上方側（温水出口側）へ向かって温度が上昇することになる。
【００４８】
第２水循環ポンプ３９は、低温側ヒータコア３６から流出した温水を吸入して、温水通路３８の温水入口側へ圧送する電動式の水ポンプである。この第２水循環ポンプ３９は、制御装置から出力される制御信号によってその作動（回転数）が制御される。
【００４９】
従って、第２水循環ポンプ３９を作動させると、温水は、第２水循環ポンプ３９→貯湯タンクの下方側に配置された温水通路３８の温水入口→温水通路３８→貯湯タンクの上方側に配置された温水通路３８の温水出口→高温側ヒータコア３５→低温側ヒータコア３６の順に循環する。
【００５０】
さらに、本実施形態の給気加熱ユニット３０には、排気通風路３２の下流側に、換気熱交換器３４から流出した排気を、図１の太破線矢印に示すように、ヒートポンプサイクル１０の蒸発器１４側へ導くダクト（図示せず）が接続されている。これにより、蒸発器１４では、電気式膨張弁１３にて減圧された低圧冷媒を排気と熱交換させて蒸発させることができる。
【００５１】
次に、本実施形態の電気制御部の概要を説明する。図示しない制御装置は、ＣＰＵ、ＲＯＭおよびＲＡＭ等を含む周知のマイクロコンピュータとその周辺回路から構成されている。この制御装置は、ＲＯＭに記憶された制御プログラムに基づいて各種演算、処理を行って、上述の各種電気式のアクチュエータ１１、１３、２２、３２ａ、３３ａ、３９等の作動を制御する。
【００５２】
制御装置の入力側には、圧縮機１１から吐出された高圧冷媒の高圧側冷媒圧力Ｐｄを検出する高圧側圧力検出手段としての高圧側圧力センサ、水−冷媒熱交換器１２の水通路から流出する給湯水の沸上温度Ｔｗｏを検出する沸上温度検出手段としての沸上温度センサ、蒸発器１４における冷媒蒸発温度（蒸発器１４の温度）Ｔｓを検出する蒸発器温度検出手段としての蒸発器温度センサ、外気温Ｔａｍを検出する外気温検出手段としての外気温センサ、貯湯タンク２０内に貯湯された給湯水の温度Ｔｔを検出するタンク内温度検出手段としてのタンク内温度センサ、温水通路３８から流出する温水の出口温度Ｔｏｕｔを検出する温水温度検出手段としての温水温度センサといった各種制御用のセンサ群が接続され、これらのセンサ群の検出信号が制御装置へ入力される。
【００５３】
さらに、制御装置の入力側には、図示しない操作パネルが接続されている。この操作パネルには、暖房システム１の作動を要求する作動信号を出力する作動スイッチ、給湯水の沸上温度（目標加熱温度）を設定する温度設定スイッチ等が設けられ、これらのスイッチの操作信号が制御装置へ入力される。
【００５４】
なお、本実施形態の制御装置は、その出力側に接続された各種制御対象機器を制御する制御手段が一体的に構成されたものであるが、制御装置のうちそれぞれの制御対象機器の作動を制御する構成（ハードウェアおよびソフトウェア）が、それぞれの制御対象機器の作動を制御する制御手段を構成している。
【００５５】
例えば、制御装置のうち、圧縮機１１の作動（冷媒吐出能力）を制御する構成（ハードウェアおよびソフトウェア）が圧縮機制御手段を構成している。もちろん、圧縮機制御手段を制御装置に対して別の装置で構成してもよい。
【００５６】
次に、上記構成における本実施形態の暖房システム１の作動を説明する。暖房システム１に外部電源から電力が供給された状態で、操作パネルの作動スイッチから作動要求信号が出力されると、制御装置が予めＲＯＭ（記憶回路）に記憶している制御処理（制御プログラム）を実行する。
【００５７】
この制御処理では、操作パネルの操作信号および上述した制御用のセンサ群により検出された検出信号を読み込み、読み込まれた操作信号および検出信号に基づいて、制御装置の出力側に接続された各種制御対象機器の制御状態（具体的には、各種制御対象機器へ出力される制御信号あるいは制御電圧）を決定する。
【００５８】
例えば、圧縮機１１へ出力される制御信号については、操作パネルからの給湯温度設定信号および外気温センサにより検出された外気温Ｔａｍに基づいて、制御装置のＲＯＭに記憶された制御マップを参照して決定される。具体的には、給湯温度設定信号による設定温度の上昇および外気温Ｔａｍの低下に伴って、圧縮機１の回転数（冷媒吐出能力）が増加するように決定される。
【００５９】
また、電気式膨張弁１３の電動アクチュエータに出力される制御信号については、ヒートポンプサイクル１０の高圧側冷媒圧力Ｐｄが目標高圧となるように決定される。この目標高圧は、外気温Ｔａｍおよび圧縮機１１の回転数に基づいて、制御装置のＲＯＭに記憶された制御マップを参照して、ヒートポンプサイクル１０の成績係数（ＣＯＰ）が最大となるように決定される。
【００６０】
また、第１水循環回路２１の第１水循環ポンプ２２へ出力される制御電圧については、フィードバック制御手法等を用いて、水−冷媒熱交換器１２の水通路１２ｂから流出する給湯水の沸上温度Ｔｗｏが温度設定スイッチによって設定された目標加熱温度（例えば、８０℃〜９０℃）に近づくように決定される。また、排気送風ファン３２ａおよび給気送風ファン３３ａへ出力される制御電圧については、排気送風ファン３２ａおよび給気送風ファン３３ａが予め定めた所定送風能力を発揮できるように決定される。
【００６１】
また、第２水循環回路３７の第２水循環ポンプ３９へ出力される制御電圧については、フィードバック制御手法等を用いて、温水通路３８から流出する温水の出口温度Ｔｏｕｔ（高温側ヒータコア３５へ流入する温水温度）が予め定めた基準温度（本実施形態では、４０℃〜５０℃）となるように決定される。この基準温度は、高温側ヒータコア３５にて温水通路３８から流出した温水と熱交換した給気が、室内の暖房を適切に実現可能な温度（例えば、３０℃〜４０℃）となるように定められた値である。
【００６２】
さらに、制御装置が実行する制御処理では、上記の如く決定した制御信号および制御電圧を各種制御対象機器へ出力する。そして、貯湯タンク２０内に貯湯された給湯水の温度Ｔｔが、温度設定スイッチによって設定された目標加熱温度に近づくように、ヒートポンプサイクル１０を作動させる。
【００６３】
その後、制御装置は、操作パネルの作動スイッチがＯＦＦされて暖房システム１の作動停止が要求されるまで、所定の制御周期毎に、上述の検出信号および操作信号の読み込み→各種制御対象機器の制御状態の決定→各種制御対象機器への制御電圧および制御信号の出力といった制御ルーチンを繰り返す。
【００６４】
従って、暖房システム１を作動させると、ヒートポンプサイクル１０では、圧縮機１１から吐出された高温高圧冷媒が、水−冷媒熱交換器１２の冷媒通路１２ａへ流入し、水通路１２ｂを流通する給湯水へ放熱して冷却される。これにより、水通路１２ｂを流通する給湯水が加熱される。
【００６５】
冷媒通路１２ａから流出した高圧冷媒は、電気式膨張弁１３へ流入して低圧冷媒となるまで減圧される。電気式膨張弁１３にて減圧された低圧冷媒は、蒸発器１４へ流入し、給気加熱ユニット３０の排気通風路３２から流出した排気から吸熱して蒸発する。蒸発器１４から流出した冷媒は、圧縮機１１へ吸入されて再び圧縮される。
【００６６】
また、第１水循環回路２１では、第１水循環ポンプ２２から圧送された貯湯タンク２０の下方側の比較的低温の給湯水が、水−冷媒熱交換器１２の水通路１２ｂを流通する際に加熱される。水−冷媒熱交換器１２にて加熱されて高温となった給湯水は、貯湯タンク２０の上方側へ貯留される。
【００６７】
また、第２水循環回路３７では、第２水循環ポンプ３９が作動しているので、温水通路３８の上方側の温水出口から温水が流出する。この際、温水通路３８の温水出口から流出する温水は、貯湯タンク２０の上方側の比較的高い温度の給湯水によって加熱され、基準温度となるまで温度上昇する。
【００６８】
そして、基準温度となるまで温度上昇した温水は、高温側ヒータコア３５へ流入して、換気熱交換器３４から流出した給気と熱交換して放熱する。これにより、換気熱交換器３４から流出した給気が室内の暖房を適切に実現可能な温度となるまで加熱される。
【００６９】
つまり、本実施形態の高温側ヒータコア３５では、ヒートポンプサイクル１０の圧縮機１１から吐出された高温高圧冷媒によって給湯水を介して間接的に加熱された温水（熱媒体）を熱源として、換気熱交換器３４から流出した給気を加熱している。
【００７０】
さらに、高温側ヒータコア３５にて給気に放熱して温度低下した温水は、低温側ヒータコア３６へ流入する。低温側ヒータコア３６へ流入した温水は、給気送風ファン３３ａから送風されて換気熱交換器３４へ流入する給気と熱交換して放熱する。これにより、換気熱交換器３４へ流入する給気が加熱される。低温側ヒータコア３６から流出した温水は、第２水循環ポンプ３９へ吸入されて、貯湯タンク２０内の下方側に配置された温水通路３８の温水入口側へ圧送される。
【００７１】
ここで、温水通路３８を流通する温水のうち温水流れ上流側（温水入口側）の温水と熱交換する貯湯タンク２０の下方側の給湯水は、第１水循環ポンプ２２から水−冷媒熱交換器１２の水通路１２ｂへ圧送されて、水−冷媒熱交換器１２の冷媒通路１２ａ出口側の電気式膨張弁１３へ流入する冷媒と熱交換する。
【００７２】
従って、低温側ヒータコア３６では、電気式膨張弁１３へ流入する冷媒と給湯水を介して間接的に熱交換する温水（熱媒体）の温度を低下させて、換気熱交換器３４へ流入する給気を加熱している。
【００７３】
また、給気加熱ユニット３０では、給気送風ファン３３ａから送風された給気（外気）が低温側ヒータコア３６にて加熱され、換気熱交換器３４の給気通路へ流入する。換気熱交換器３４の給気通路へ流入した給気は、排気送風ファン３２ａから送風されて換気熱交換器３４の排気通路を流通する排気（内気）と熱交換する。
【００７４】
換気熱交換器３４から流出した給気は、高温側ヒータコア３５にてさらに加熱されて、図示しないダクトを介して暖房対象空間である各室内へ送風される、一方、換気熱交換器３４から流出した排気は、排気通風路３２および図示しないダクトを介してヒートポンプサイクル１０の蒸発器１４側へ送風される。
【００７５】
以上の如く、本実施形態の暖房システム１では、ヒートポンプサイクル１０の水−冷媒熱交換器２にて加熱された給湯水を貯湯タンク２０に貯留することができる。さらに、高温側ヒータコア３５にて加熱された給気を、暖房対象空間である各室内へ送風することによって、各室内の暖房を実現することができる。
【００７６】
この際、高温側ヒータコア３５では、ヒートポンプサイクル１０にて発生した熱によって給湯水を介して間接的に加熱された熱媒体を熱源として、暖房対象空間へ取り入れられる給気を加熱しているので、給気を暖房対象空間の暖房に必要な程度の温度まで充分かつ容易に昇温させることができる。
【００７７】
さらに、低温側ヒータコア３６にて、温水と換気熱交換器３４へ流入する給気とを熱交換させることによって、電気式膨張弁１３へ流入する冷媒と熱交換する給湯水の温度を低下させるので、電気式膨張弁１３へ流入する冷媒のエンタルピを低下させて、ヒートポンプサイクルの成績係数（ＣＯＰ）を向上させることができる。
【００７８】
つまり、本実施形態の暖房システム１によれば、高温側ヒータコア３５および低温側ヒータコア３６の２つの加熱用熱交換器を備えていることによって、ヒートポンプサイクル１０のＣＯＰの低下を招くことなく、室外から暖房対象空間へ取り入れられる給気を充分に加熱することができる。
【００７９】
また、本実施形態の暖房システム１の高温側ヒータコア３５では、給湯水によって加熱された温水を熱源として、換気熱交換器３４から流出した給気を加熱している。このような構成では、貯湯タンク２０内の給湯水の最高温度と、高温側ヒータコア３５へ流入する温水の最高温度とを異なる値とすることができる。
【００８０】
従って、高温側ヒータコア３５にて加熱された給気の温度を、不必要に上昇させてしまうことなく、室内の暖房を適切に実現可能な温度に容易に調整することができる。さらに、貯湯タンク２０内に貯留された給湯水を、高温側ヒータコア３５あるいは低温側ヒータコア３６とは異なる温度帯の熱源を必要とする暖房用機器（あるいは加熱用機器）の熱源として用いることもできる。
【００８１】
また、本実施形態の暖房システム１では、蒸発器１４にて冷媒と換気熱交換器３４から流出した排気とを熱交換させるので、排気の有する熱を冷媒に吸熱させて給湯水を加熱するために有効に活用することができる。延いては、排気の有する熱エネルギが室外に放出されてしまうことを抑制し、排気の有する熱エネルギを室内の暖房を行うために有効に活用することができる。
【００８２】
なお、上述の説明では、室内の暖房を行う際の暖房システム１の作動について説明したが、もちろん、室内の暖房を行うことなく給湯水を加熱するように作動させてもよい。この場合は、排気送風ファン３２ａ、給気送風ファン３３ａおよび第２水循環ポンプ３９の作動を停止させ、蒸発器１４では冷媒が外気から吸熱して蒸発するように作動させればよい。
【００８３】
さらに、貯湯タンク２０内の給湯水が充分に加熱されて昇温されている場合は、給湯水の加熱を行うことなく室内の暖房を行ってもよい。この場合は、圧縮機１１、電気式膨張弁１３および第１水循環ポンプ２２の作動を停止させればよい。
【００８４】
（第２実施形態）
本実施形態では、第１実施形態に対して、図２の模式的な全体構成図に示すように、低温側ヒータコア３６の構成等を変更した例を説明する。
【００８５】
具体的には、本実施形態の低温側ヒータコア３６は、水−冷媒熱交換器１２の冷媒通路１２ａから流出した冷媒と換気熱交換器３４へ流入する給気とを熱交換させる。また、高温側ヒータコア３５の温水出口側は、第２水循環ポンプ３９の吸入側に接続されている。その他の構成は第１実施形態と同様である。
【００８６】
従って、本実施形態の暖房システム１を作動させると、低温側ヒータコア３６にて、換気熱交換器３４へ流入する給気が、水−冷媒熱交換器１２の冷媒通路１２ａから流出した冷媒によって加熱される。つまり、本実施形態の低温側ヒータコア３６では、水−冷媒熱交換器１２の冷媒通路１２ａから流出して電気式膨張弁１３へ流入する冷媒の温度を低下させて、換気熱交換器３４へ流入する給気を加熱する。
【００８７】
その結果、本実施形態の暖房システム１によれば、第１実施形態と同様に、ヒートポンプサイクル１０のＣＯＰの低下を招くことなく、室外から暖房対象空間へ取り入れられる給気を充分に加熱することができる。
【００８８】
さらに、本実施形態の暖房システム１によれば、低温側ヒータコア３６にて、ヒートポンプサイクル１０の冷媒と給気とを直接的に熱交換させるので、給湯水や温水等の熱媒体を介して冷媒と給気とを熱交換させる場合に対して、電気式膨張弁１３へ流入する冷媒のエンタルピを効率的に低下させることができる。従って、ヒートポンプサイクル１０のＣＯＰを効率的に向上させることができる。
【００８９】
（第３実施形態）
本実施形態では、第１実施形態に対して、図３の模式的な全体構成図に示すように、第２水循環回路３７に太陽熱パネル４０を追加した例を説明する。
【００９０】
具体的には、太陽熱パネル４０は、住宅用家屋の屋根等に配置されており、太陽熱を熱源として温水を加熱するものである。この太陽熱パネル４０では、晴天時等には温水を４０℃〜５０℃程度まで昇温させることができる。さらに、太陽熱パネル４０は、第２水循環回路３７において、貯湯タンク２０内に配置された温水通路３８に対して並列的に接続されている。その他の構成は第１実施形態と同様である。
【００９１】
従って、本実施形態の暖房システム１を作動させると、第１実施形態と同様に、ヒートポンプサイクル１０のＣＯＰの低下を招くことなく、室外から暖房対象空間へ取り入れられる給気を充分に加熱することができる。
【００９２】
さらに、本実施形態の暖房システム１では、太陽熱パネル４０を備えているので、太陽熱パネル４０にて、高温側ヒータコア３５へ流入する温水温度を基準温度以上となるまで昇温させることで、ヒートポンプサイクル１０の作動を停止させることができる。これにより、室内暖房のために消費されるエネルギを低減できる。
【００９３】
（第４実施形態）
本実施形態では、第１実施形態に対して、図４の模式的な全体構成図に示すように、第１水循環回路２１と第２水循環回路３７とを接続した例を説明する。従って、本実施形態の第２水循環回路３７では、第１水循環回路２１と同じ給湯水が循環する。
【００９４】
具体的には、本実施形態では、第１水循環回路２１の水−冷媒熱交換器１２の水通路１２ｂの出口側（貯湯タンク２０の給湯水入口側）と第２水循環回路３７の温水通路３８の出口側（高温側ヒータコア３５の温水入口側）との間が接続されている。さらに、第２水循環回路３７の低温側ヒータコア３６の温水出口側（第２水循環ポンプ３９の吸入側）と第１水循環回路２１の貯湯タンク２０の給湯水入口側（第１水循環ポンプ２２の吸入側）との間が接続されている。
【００９５】
これにより、本実施形態の暖房システム１では、第１水循環回路２１を循環する給湯水のうち、水−冷媒熱交換器１２の水通路１２ｂから流出した給湯水が、貯湯タンク２０の上方側へ流入するだけでなく、第２水循環回路３７の温水通路３８から流出した給湯水に合流して高温側ヒータコア３５へ流入する。
【００９６】
また、第２水循環回路３７を循環する給湯水のうち、低温側ヒータコア３６から流出した給湯水が、第２水循環ポンプ３９へ吸入されるだけでなく、第１水循環回路２１の貯湯タンク２０の下方側の給湯水出口から流出した給湯水に合流して第１水循環ポンプ２２へ吸入される。その他の構成は第１実施形態と同様である。
【００９７】
本実施形態のように暖房システム１を構成しても、第１実施形態と同様に、ヒートポンプサイクル１０のＣＯＰの低下を招くことなく、室外から暖房対象空間へ取り入れられる給気を充分に加熱することができる。
【００９８】
さらに、本実施形態の高温側ヒータコア３５では、圧縮機１１から吐出された冷媒によって加熱された熱媒体（給湯水）を用いて、換気熱交換器３４から流出した給気を直接加熱することができる。従って、貯湯タンク２０内の給湯水の温度が低くなっていても室外から暖房対象空間へ取り入れられる給気を充分に加熱することができる。
【００９９】
さらに、本実施形態の低温側ヒータコア３６では、電気式膨張弁１３へ流入する冷媒と熱交換する熱媒体（給湯水）の温度を直接低下させることができる。従って、電気式膨張弁１３へ流入する冷媒のエンタルピを効率的に低下させて、ヒートポンプサイクル１０のＣＯＰを効率的に向上させることができる。
【０１００】
（第５実施形態）
本実施形態では、第１実施形態に対して、図５の模式的な全体構成図に示すように、第２水循環回路３７に加熱器４１を配置した例を説明する。具体的には、この加熱器４１は、高温側ヒータコア３５から流出した温水を熱源として加熱対象物を加熱し、この加熱対象物を加熱することによって温度低下した温水を低温側ヒータコア３６の温水入口側へ流出させるものである。
【０１０１】
従って、加熱器４１としては、高温側ヒータコア３５よりも低い温度帯で、かつ、低温側ヒータコア３６よりも高い温度帯の熱源を必要とするものを採用することが望ましい。具体的には、このような加熱器４１としては、２０℃〜４０℃程度の温度帯の熱源を必要とするパネルヒータやタオルウォーマ等を採用することができる。
【０１０２】
なお、パネルヒータとは、壁内に蛇行状に延びる温水通路を配置し、この温水通路に温水を流通させることで、室内を暖房するヒータである。また、タオルウォーマとは洗面所等に蛇行状に延びる温水通路を配置し、この温水通路に温水を流通させることで、温水通路に掛けられたタオルや小型な洗濯物等を加熱して乾燥させるものである。
【０１０３】
従って、本実施形態の暖房システム１を作動させると、第１実施形態と同様に、ヒートポンプサイクル１０のＣＯＰの低下を招くことなく、室外から暖房対象空間へ取り入れられる給気を充分に加熱することができる。さらに、加熱器４１により、温水の有する熱を有効に利用することができる。
【０１０４】
（第６実施形態）
本実施形態では、第１実施形態に対して、図６に示すように、熱媒体循環回路５０を追加した例を説明する。この熱媒体循環回路５０は、第２温水（例えば、エチレングリコール水溶液）を循環させるものである。さらに、熱媒体循環回路５０には、第３水循環ポンプ５１、水−冷媒熱交換器１２の水通路１２ｂおよび水−水熱交換器５２の第１水通路５２ａが配置されている。
【０１０５】
熱媒体循環回路５０を循環する第２温水は、ヒートポンプサイクル１０にて発生した熱を第１水循環回路２１を循環する給湯水へ移動させる熱媒体である。第３水循環ポンプ５１は、加熱用の熱媒体を水−冷媒熱交換器１２の水通路１２ｂの入口側へ圧送する水圧送手段であって、その基本的構成は、第１実施形態の第１、第２水循環ポンプ２２、３９と同様である。従って、第３水循環ポンプ５１は、制御装置から出力される制御信号によって、その作動（回転数）が制御される。
【０１０６】
水−水熱交換器５２は、水−冷媒熱交換器１２の水通路１２ｂから流出した第２温水を流通させる第１水通路５２ａと、第１水循環回路２１の第１水循環ポンプ２２から圧送された給湯水を流通させる第２水通路５２ｂとを有し、第１水通路５２ａを流通する第２温水と第２水通路５２ｂを流通する給湯水とを熱交換させるものである。この水−水熱交換器５２の基本的構成は、水−冷媒熱交換器１２と同様である。
【０１０７】
従って、第３水循環ポンプ５１を作動させると、加熱用の熱媒体は、第３水循環ポンプ５１の吐出口→水−冷媒熱交換器１２の水通路１２ｂ→水−水熱交換器５２の第１水通路５２ａ→第３水循環ポンプ５１の吸入口の順に循環する。その他の構成は第１実施形態と同様である。
【０１０８】
次に、上記構成における本実施形態の暖房システム１の作動について説明する。本実施形態の暖房システム１の基本的作動は、第１実施形態と同様である。さらに、本実施形態では、第３水循環ポンプ５１が予め定めた水圧送能力を発揮できるように、制御装置が第３水循環ポンプ５１へ出力される制御電圧を決定する。
【０１０９】
これにより、ヒートポンプサイクル１０では、第１実施形態と同様に、圧縮機１１から吐出された高温高圧冷媒が、水−冷媒熱交換器１２の冷媒通路１２ａへ流入し、水通路１２ｂを流通する第２温水へ放熱して冷却される。これにより、水通路１２ｂを流通する第２温水が加熱される。以降のヒートポンプサイクル１０の作動は第１実施形態と同様である。
【０１１０】
熱媒体循環回路５０では、水−冷媒熱交換器１２の水通路１２ｂにて加熱された第２温水が、水−水熱交換器５２の第１水通路５２ａへ流入して、水−水熱交換器５２の第２水通路５２ｂを流通する給湯水へ放熱する。これにより、第２水通路５２ｂを流通する給湯水が加熱される。以降の第１、第２水循環回路２１、３７および給気加熱ユニット３０における作動は、第１実施形態と同様である。
【０１１１】
つまり、本実施形態の暖房システム１では、ヒートポンプサイクル１０の圧縮機１１から吐出された高温高圧冷媒によって熱媒体循環回路５０を循環する第２温水を加熱し、加熱された第２温水によって第１水循環回路２１を循環する給湯水を加熱し、さらに、加熱された給湯水によって温水を加熱している。
【０１１２】
従って、本実施形態の高温側ヒータコア３５では、ヒートポンプサイクル１０の圧縮機１１から吐出された高温高圧冷媒によって、第２温水および給湯水を介して間接的に加熱された温水（熱媒体）を熱源として、換気熱交換器３４から流出した給気を加熱している。
【０１１３】
また、本実施形態の暖房システム１では、低温側ヒータコア３６にて給気を加熱することで温水の温度を低下させ、温度低下した温水によって貯湯タンク２０内の下方側の給湯水の温度を低下させ、さらに、温度低下した貯湯タンク２０内の下方側の給湯水によって第２温水の温度を低下させている。
【０１１４】
従って、本実施形態の低温側ヒータコア３６では、給湯水および第２温水を介して、電気式膨張弁１３へ流入する冷媒と間接的に熱交換する温水（熱媒体）の温度を低下させて、換気熱交換器３４へ流入する給気を加熱している。
【０１１５】
その結果、本実施形態の暖房システム１では、第１実施形態と同様に、ヒートポンプサイクル１０のＣＯＰの低下を招くことなく、室外から暖房対象空間へ取り入れられる給気を充分に加熱することができる。
【０１１６】
さらに、本実施形態の暖房システム１は、ヒートポンプサイクル１０の冷媒と給湯水とを熱媒体循環回路５０の第２温水を介して間接的に熱交換させる構成となっているので、給湯水に冷媒が漏れてしまうことを防止することができる。従って、給湯水を飲料水として用いた際の安全性を向上させることができる。
【０１１７】
（他の実施形態）
本発明は上述の実施形態に限定されることなく、本発明の趣旨を逸脱しない範囲内で、以下のように種々変形可能である。
【０１１８】
（１）上述の第２実施形態では、低温側ヒータコア３６にて、ヒートポンプサイクル１０の冷媒と給気とを直接的に熱交換させる構成について説明したが、もちろん、高温側ヒータコア３５にて、ヒートポンプサイクル１０の冷媒と給気とを直接的に熱交換させるようにしてもよい。
【０１１９】
具体的には、水−冷媒熱交換器１２の冷媒通路１２ａから流出した冷媒を高温側ヒータコア３５へ流入させ、さらに、高温側ヒータコア３５から流出した冷媒を低温側ヒータコア３６へ流入させてもよい。
【０１２０】
これにより、高温側ヒータコア３５では、圧縮機１１から吐出された冷媒を熱源として換気熱交換器３４から流出した給気を加熱することができ、低温側ヒータコア３６では、電気式膨張弁１３へ流入する冷媒の温度を低下させて、換気熱交換器３４へ流入する給気を加熱することができる。
【０１２１】
さらに、本実施形態の暖房システム１によれば、高温側ヒータコア３５にて冷媒と給気とを直接的に熱交換させるので、給湯水や温水等の熱媒体を介して冷媒と給気とを熱交換させる場合に対して、換気熱交換器３４から流出した給気を効率的に加熱することができる。
【０１２２】
ところで、ヒートポンプサイクル１０を備える暖房システム１では、蒸発器１４に着霜が生じた際に、これを除霜する除霜運転を行うものがある。このような除霜運転としては、例えば、電気式膨張弁１３の絞り開度を全開とし、圧縮機１１から吐出された冷媒を蒸発器１４へ流入させる、いわゆるホットガスサイクルを構成する手段等が考えられる。
【０１２３】
ところが、除霜運転のために電気式膨張弁１３の絞り開度を全開としてしまうと、圧縮機１１から吐出される冷媒の温度が低下してしまうので、高温側ヒータコア３５へ圧縮機１１から吐出された冷媒を流入させても、換気熱交換器３４から流出した給気を充分に加熱することができなくなってしまうおそれがある。
【０１２４】
従って、高温側ヒータコア３５では、上述の実施形態で説明したように貯湯タンク２０内に貯留された給湯水を熱源として、換気熱交換器３４から流出した給気を加熱することが望ましい。
【０１２５】
さらに、高温側ヒータコア３５にて、貯湯タンク２０内に貯留された給湯水を熱源とする構成を採用した場合には、ヒートポンプサイクル１０が除霜運転を行っている場合やヒートポンプサイクル１０の停止時であっても、貯湯タンク２０に貯留された給湯水の温度を充分に昇温しておくことで、高温側ヒータコア３５にて換気熱交換器３４から流出した給気を連続的に加熱することができる。
【０１２６】
（２）上述の各実施形態では、蒸発器１４にて冷媒と換気熱交換器３４から流出した排気とを熱交換させる構成を採用しているが、蒸発器１４にて冷媒と外気とを熱交換させる構成を採用してもよい。これにより、給気加熱ユニット３０の排気通風路３２の下流側からヒートポンプサイクル１０の蒸発器１４側へ排気を導くダクトを廃止できる。
【０１２７】
（３）上述の各実施形態では、排気送風ファン３２ａを排気通風路３２の排気流れ最上流側に配置し、給気送風ファン３３ａを給気通風路３３の給気流れ最上流側に配置した例を説明したが、排気送風ファン３２ａおよび給気送風ファン３３ａの配置はこれに限定されない。
【０１２８】
例えば、排気送風ファン３２ａを排気通風路３２の排気流れ最上流側に配置し、給気送風ファン３３ａを給気通風路３３の給気流れ最下流側に配置してもよい。これにより、２つの送風ファンを室外側に配置することができ、室内のユーザに排気送風ファン３２ａおよび給気送風ファン３３ａの作動音が聞こえてしまうことを抑制できる。
【０１２９】
（４）上述の各実施形態では、換気熱交換器３４として伝熱性に優れる複数の金属板を積層配置することによって構成されて排気と給気との間で熱を交換する顕熱交換器として構成されたものを採用したが、伝熱性および透湿性を有する材質で形成された板状部材を積層配置することによって構成された、いわゆる全熱交換器を採用してもよい。このような全熱交換器では、排気と給気との間で温度のみならず湿度の交換を行うこともできる。
【０１３０】
（５）上述の各実施形態に開示された手段は、実施可能な範囲で適宜組み合わせてもよい。例えば、第２実施形態で説明した低温側ヒータコア３６の構成を、第６実施形態の暖房システム１に適用してもよい。また、第３実施形態で説明した太陽熱パネル４０を第４、第５実施形態の暖房システム１に適用してもよい。
【符号の説明】
【０１３１】
１０    ヒートポンプサイクル
１１    圧縮機
１３    電気式膨張弁
３４    換気熱交換器
３５    高温側ヒータコア
３６    低温側ヒータコア
【図１】
2014142100.tif 000003
【図２】
2014142100.tif 000004
【図３】
2014142100.tif 000005
【図４】
2014142100.tif 000006
【図５】
2014142100.tif 000007
【図６】
2014142100.tif 000008